(57)【要約】【課題】湯水混合水栓において、ハウジング等に破損が生じた場合でも、カウンター下に漏水してしまうことを抑制すること。【解決手段】本発明に係る湯水混合水栓は、前記湯水混合水を生成する湯水混合部と、前記湯水混合部を保持するハウジングと、前記給水源から延びる給水管と前記給湯源から延びる給湯管とが接続される金属製の底部と、前記ハウジングとは別体に形成され、前記カウンターとの間で固定構造を形成する固定台座と、を備え、前記給水管および前記給湯管が、前記固定台座を貫通し、前記底部が、前記固定台座に載置されている。【選択図】図１
2018053454.tif 000002
【特許請求の範囲】
【請求項１】
給水源および給湯源から供給される水を湯水混合水として吐水すると共にカウンターに固定される湯水混合水栓において、
前記湯水混合水を生成する湯水混合部と、
前記湯水混合部を保持するとともに、前記湯水混合部との間で通水空間を形成するハウジングと、
前記給水源から延びる給水管と前記給湯源から延びる給湯管とが接続される金属製の底部と、
前記ハウジングとは別体に形成され、前記カウンターとの間で固定構造を形成する固定台座と、を備え、
前記給水管および前記給湯管が、前記固定台座を貫通し、
前記底部が、前記固定台座に載置されている
湯水混合水栓。
【請求項２】
前記底部には、前記ハウジングを前記底部に固定するための被固定部が設けられている
請求項１に記載の湯水混合水栓。
【請求項３】
前記底部には、前記固定台座を前記底部に固定するための被固定部が設けられている
請求項１または請求項２に記載の湯水混合水栓。
【請求項４】
前記ハウジング及び前記固定台座は、樹脂材料で形成されている
請求項１乃至請求項３のいずれか１項に記載の湯水混合水栓。
【発明の詳細な説明】
【技術分野】
【０００１】
本発明は、湯水混合水栓に関する。
【背景技術】
【０００２】
従来から、カウンターに対して互いに離隔した位置に設けられる水栓本体及び吐水部を有する湯水混合水栓が知られている（例えば特許文献１参照）。
特許文献１に記載の湯水混合水栓の水栓本体は、その上部に設けられる操作部と、水栓本体内部に収容される弁ユニット（湯水混合部）と、弁ユニットの周囲を囲んでいるハウジングと、ハウジングと一体に成形され、カウンターに取り付け固定される取付穴挿通部と、ハウジング及び取付穴挿通部とは別体に構成された金属製の底部と、を備えている。また、特許文献１に記載の湯水混合水栓において、ハウジング及び取付穴挿通部は、全体として樹脂成型品からなる樹脂ボデーを構成しており、取付穴挿通部は、ハウジングの下端部から下向きに延び出し、カウンターの裏側まで突き出している。このように、ハウジング及び取付穴挿通部が一体に成形されているため、ハウジング及び取付穴挿通部を安価に製造でき、生産性を向上させることができる。
【先行技術文献】
【特許文献】
【０００３】
【特許文献１】特許第３７０８８４７号公報
【発明の概要】
【発明が解決しようとする課題】
【０００４】
上述した従来の湯水混合水栓において、取付穴挿通部は、カウンターに固定されているため、例えば操作部に加えられた力や水栓本体に加わる力を受ける。また、カウンターに固定される取付穴挿通部とハウジングが一体に成形されているため、ハウジングも、例えば操作部に加えられた力や水栓本体に加わる力を受ける。そのため、ハウジング及び取付穴挿通部には、クラック等の破損が最も生じやすい。
【０００５】
ここで、上述した従来の湯水混合水栓においては、ハウジングによって水路が形成されているため、ハウジングにクラック等の破損が生じてしまった場合に、ハウジングによって形成された水路内の水が、ハウジングに生じた破損部分から漏水してしまうおそれがある。このとき、ハウジングと取付穴挿通部は一体に成形されており、また、取付穴挿通部はカウンター下の裏側まで突き出ているため、ハウジングに生じた破損部分が取付穴挿通部まで広がり、そこからカウンター下へ漏水してしまうといった懸念がある。反対に、取付穴挿通部にクラック等の破損が生じてしまったとき、取付穴挿通部の破損がハウジングまで広がり、そこからカウンター下へ漏水してしまうといった懸念もある。
このように、カウンター下へ漏水してしまうと、例えば使用者による漏水の発見が遅れ、建物に甚大な被害が出てしまうといったことが懸念される。
【０００６】
この解決策として、ハウジング及び取付穴挿通部を構成する部材を金属材料、もしくは、高強度の樹脂材料とすることが考えられる。しかし、ハウジング及び取付穴挿通部を構成する部材を金属材料や高強度の樹脂材料で構成してしまうと、コストが高くなり、生産性が低下してしまうといった懸念がある。
【０００７】
本発明は、上述した課題を解決するためになされたものであり、ハウジング等に破損が生じた場合でも、カウンター下に漏水してしまうことを抑制することができる湯水混合水栓を提供することを目的とする。
【課題を解決するための手段】
【０００８】
上記目的を達成するために、本発明の一態様に係る湯水混合水栓によれば、給水源および給湯源から供給される水を湯水混合水として吐水すると共にカウンターに固定される湯水混合水栓において、湯水混合水を生成する湯水混合部と、湯水混合部を保持するとともに湯水混合部との間で通水空間を形成するハウジングと、給水源から延びる給水管と給湯源から延びる給湯管とが接続される金属製の底部と、ハウジングとは別体に形成され、カウンターとの間で固定構造を形成する固定台座と、を備え、給水管および給湯管が、固定台座を貫通し、底部が、固定台座に載置されている。
【０００９】
この構成によれば、湯水混合部を保持するとともに湯水混合部との間で通水空間を形成するハウジングと、カウンターとの間で固定構造を形成する固定台座とが、別体で形成されている。そのため、ハウジングまたは固定台座にクラック等の破損が生じてしまった場合であっても、固定台座またはハウジングに破損が広がることが抑制され、カウンター下に漏水してしまうことを抑制することができる。
【００１０】
また、本発明の一態様に係る湯水混合水栓において、好ましくは、底部には、ハウジングを底部に固定するための被固定部が設けられている。
【００１１】
ここで、ハウジングは湯水混合部を保持しているため、湯水混合部よりも上流側の水圧が常にハウジングにかかっている。そのため、ハウジングは、底部とより強固に固定する必要があるとともに、固定時にかかるハウジング３０への負荷を少なくする必要がある。この構成によれば、金属製の底部に、ハウジングを固定するための被固定部が設けられている。これにより、底部とハウジングを固定するときの力が、ハウジングよりも金属製の底部に多く加わるため、固定時におけるハウジングへの負荷が軽減され、ハウジングに破損が生じてしまうことを抑制することができる。そのため、ハウジングの破損に起因する漏水をより確実に抑制することができる。
【００１２】
また、本発明の一態様に係る湯水混合水栓において、好ましくは、底部には、固定台座を底部に固定するための被固定部が設けられている。
【００１３】
この構成によれば、金属製の底部に、固定台座を固定するための被固定部が設けられている。これにより、底部と固定台座を固定するときの力が、固定台座よりも金属製の底部に多く加わるため、固定時における固定台座への負荷が軽減され、固定台座に破損が生じてしまうことを抑制することができる。そのため、固定台座の破損に起因する漏水をより確実に抑制することができる。
【００１４】
また、本発明の一態様に係る湯水混合水栓において、好ましくは、ハウジング及び固定台座は、樹脂材料で形成されている。
【００１５】
この構成によれば、ハウジング及び固定台座が、比較的安価な樹脂材料で形成されているため、製造コストを抑えることができ、生産性をより一層向上させることができる。
【発明の効果】
【００１６】
本発明によれば、湯水混合水栓において、ハウジング等に破損が生じた場合でも、カウンター下に漏水しまうことを抑制することができる
【図面の簡単な説明】
【００１７】
【図１】本発明の一実施形態に係る湯水混合水栓の斜視図である。
【図２】本発明の一実施形態に係る湯水混合水栓の水栓本体の分解斜視図である。
【図３】本発明の一実施形態に係る湯水混合水栓の水栓本体の断面図である。
【図４】本発明の一実施形態に係る湯水混合水栓の底部の上面図である。
【図５】本発明の一実施形態に係る湯水混合水栓の底部の底面図である。
【図６】本発明の一実施形態に係る湯水混合水栓の底部の取付構造を示した分解斜視図である。
【発明を実施するための形態】
【００１８】
以下、本発明の実施の形態について添付図面を参照しながら説明する。なお、各図面中、同様の構成要素には同一の符号を付して詳細な説明は適宜省略する。
【００１９】
まず、図１〜図３を参照して、本発明の一実施形態に係る湯水混合水栓について説明する。なお、以下においては、図中に示す方向を用いて説明する。
【００２０】
図１は、本発明の一実施形態に係る湯水混合水栓の斜視図である。図２は、本発明の一実施形態に係る湯水混合水栓の水栓本体の分解斜視図である。図３は、本発明の一実施形態に係る湯水混合水栓の水栓本体の断面図である。
【００２１】
図１に示すように、本発明の一実施形態に係る湯水混合水栓は、給水源及び給湯源から供給される水を湯水混合水として吐水すると共に、カウンターＣに固定される。この湯水混合水栓Ａは、カウンターＣに取り付けられる水栓本体２と、水栓本体２から離隔した位置にてカウンターＣに取り付けられる吐水部４と、を備えている。
【００２２】
水栓本体２には、給水源から延びる給水管６と、給湯源から延びる給湯菅８とが接続されており、水栓本体２の内部にて、給水管６及び給湯菅８から供給される水を混合する。水栓本体２の内部にて混合された水（湯水混合水）は、水栓本体２と吐水部４とをつなぐ接続管１０を介して、吐水部４へ供給され、吐水部から吐水される。これらの給水管６及び給湯菅８、接続管１０は、カウンターＣ下に隠蔽されている。
なお、水栓本体２は、給水管６及び給湯菅８から供給される水を混合せずに、給水管６から供給される水、または、給湯管８から供給される水のみを、吐水部４へ供給することもできるように構成されている。
【００２３】
図２及び図３に示すように、水栓本体２は、湯水混合水を生成する湯水混合部２０と、湯水混合部２０を保持するハウジング３０と、給水管６及び給湯菅８が接続される底部４０と、カウンターＣとの間で固定構造を形成する固定台座５０と、を有している。この固定台座５０の上方に底部４０が載置され、底部４０の上方に湯水混合部２０とハウジング３０が載置されている。
【００２４】
湯水混合部２０は、全体として円柱形状を有しており、水栓本体２の内部に収容されている。この湯水混合部２０は、カートリッジ式であり、流路が形成された円盤状の複数のセラミックディスク（図示せず）を有している。この複数のセラミックディスクを回転・移動させることによって、給水管６及び給湯菅８から供給される水を混合したり、湯水混合水栓Ａに供給された湯水の吐止水を行ったりする。
【００２５】
また、湯水混合部２０の上部には、操作量を伝達する伝達部２２を介して、操作部２４が設けられている。この操作部２４を操作すると、その操作量に応じて湯水混合部２０のセラミックディスクが回転・移動し、給水源または給湯源から湯水混合水栓Ａに供給された湯水の吐止水及び流量・温調操作することができる。
【００２６】
ハウジング３０は、上下方向に延びる円筒状の部材であり、湯水混合部２０を保持するとともに、湯水混合部２０との間で通水空間を形成している。言い換えると、ハウジング３０の内部に湯水混合部２０が収容されている。また、このハウジング３０は、底部４０の上方に載置されており、底部４０の上端の一部を内部に収容している。また、このハウジング３０と固定台座５０は、樹脂材料によって形成されている。
【００２７】
底部４０は、金属製の部材であって略円柱状に形成されている。底部４０の外周面中部には、外周方向に突出して突条を形成する鍔４２が形成されている。この鍔４２の上面にはハウジング３０が載置されており、鍔４２の下面には固定台座５０の上端面が当接している。また、底部４０において、鍔４２よりも上側の部分がハウジング３０内に収容されており、鍔４２よりも下側の部分が、固定台座５０内に収容されている。
【００２８】
底部４０の下面には、給水管６及び給湯管８の下流端部、接続管１０の上流端部が接続されており、この接続部分から鉛直上方に向かって延びる流路がそれぞれ形成されている。一方、底部４０の上面には、底部４０の流路と湯水混合部２０の流路とを連通する開口がそれぞれ設けられている。
【００２９】
具体的には、底部４０には、給水管６から供給される水が通る水用一次側流路４０ａ、給湯管８から供給される水が通る湯用一次側流路４０ｂ、湯水混合部２０から供給される湯水混合水が通る二次側流路４０ｃの３つの流路が形成されている。この水用一次側流路４０ａ及び湯用一次側流路４０ｂの出口部分と、二次側流路４０ｃの入口部分とが、底部４０の上面に形成されており、これらの出口部分または入口部分が、湯水混合部２０の流路と連通している。
【００３０】
給水源または給湯源から、給水管６または給湯管８へ供給された水は、底部４０の水用一次側流路４０ａまたは湯用一次側流路４０ｂを通り、湯水混合部２０へ供給される。湯水混合部２０において、水用一次側流路４０ａから供給された水と、湯用一次側流路４０ｂから供給された水とが混合される。そして、湯水混合部２０によって生成された湯水混合水は、湯水混合部２０から底部４０の二次側流路４０ｃへ流れる。二次側流路４０ｃへ供給された湯水混合水は、接続管１０に流れて、吐水部４へ供給される。
なお、水栓本体２において、水用一次側流路４０ａまたは湯用一次側流路４０ｂから湯水混合部２０へ供給された水を湯水混合部２０にて混合せずに、水用一次側流路４０ａまたは湯用一次側流路４０ｂから供給された水のどちらか一方のみを、湯水混合部２０から二次側流路４０ｃへ供給可能なように構成されている。
【００３１】
固定台座５０は、ハウジング３０と別体に形成される円筒状の部材であり、カウンターＣに設けられた取付孔Ｃ１に挿入されてカウンターＣを貫通している。固定台座５０の内側上部には、固定台座５０の内周面から固定台座５０の中心軸に向かって突出するような段部５２が形成されており、固定台座５０の上端面から段部５２にかけて形成される凹み部分に、底部５０の一部が収容されている。また、給水管６及び給湯管８、接続管１０が、固定台座５０を上下方向に貫通している。
【００３２】
固定台座５０の外周面中部には、外周方向に突出して突条を形成する鍔５４が形成されている。この鍔５４は、固定台座５０の段部５２よりも下方に形成されている。固定台座５０の鍔５４よりも下方部分は、カウンターＣの取付孔Ｃ１に挿入され、鍔５４の下面とカウンターＣの上面とが当接している。また、固定台座５０の下端部分はカウンターＣの下面よりも下方に位置しており、固定台座５０の鍔５４よりも下方部分であってカウンターＣの下面よりも下方の位置には、円筒状の締結部材６０が設けられている。
【００３３】
ここで、固定台座５０の鍔５４よりも下方部分における外周面には、螺旋状の溝が設けられている。一方、締結部材６０の内周面には、固定台座５０の鍔５４よりも下方部分に形成された螺旋状の溝と係合する、螺旋状の溝が形成されている。つまり、締結部材６０を固定台座５０の下方部分に締結することによって、固定台座５０の鍔５４と締結部材６０とによってカウンターＣが挟み込まれて、固定台座５０がカウンターＣに固定される。このように、固定部材５０は、カウンターＣとの間で固定構造を形成しており、水路を形成するといった機能は有していない。
【００３４】
また、水栓本体２は、ハウジング３０、底部４０及び固定台座５０の外周に配置され外観を形成する外観カバー７０を有している。外観カバー７０は、円筒状の部材であり、外周面に金属メッキが施されている。
【００３５】
このように、本発明の一実施形態に係る湯水混合水栓Ａによれば、湯水混合部２０を保持するハウジング３０と、カウンターＣとの間で固定構造を形成する固定台座５０とが、別体で形成されている。そのため、ハウジング３０または固定台座５０にクラック等の破損が生じてしまった場合であっても、固定台座５０またはハウジング３０に破損が広がることが抑制され、カウンターＣ下に漏水してしまうことを抑制することができる。
【００３６】
また、ハウジング３０及び固定台座５０が、比較的安価な樹脂材料で形成されているため、製造コストを抑えることができ、生産性をより一層向上させることができる。
【００３７】
つぎに、図４〜図６を参照して、水栓本体の底部と、ハウジング及び固定台座と、の取付構造について説明する。
【００３８】
図４は、本発明の一実施形態に係る湯水混合水栓の底部の上面図である。図５は、本発明の一実施形態に係る湯水混合水栓の底部の底面図である。図６は、本発明の一実施形態に係る湯水混合水栓の底部の取付構造を示した分解斜視図である。
【００３９】
図４及び図５に示すように、底部４０の上面には、ハウジング３０を底部３０に固定するための上側被固定部４４が設けられ、底部４０の底面には、固定台座５０を底部４０に固定するための下側被固定部４６が設けられている。この上側被固定部４４及び下側被固定部４６は、ハウジング３０及び固定台座５０を固定するための固定ネジ４８が螺合される穴であり、底部４０の上面または底面において複数設けられている。
【００４０】
また、図６に示すように、底部４０にハウジング３０を取り付けるときは、固定ネジ４８を挿通させるためのハウジング３０の挿通孔３２と、上側被固定部４４の位置を合わせる。そして、ハウジング３０の挿通孔３２に固定ネジ４８を上方から挿通させ、固定ネジ４８を底部４０の上側被固定部４４に螺合させる。
同様に、底部４０に固定台座５０を取り付けるときは、固定ネジ４８を挿通させるための固定台座５０の挿通孔５６と、下側被固定部４６の位置を合わせる。そして、固定台座５０の挿通孔５６に固定ネジ４８を下方から挿通させ、固定ネジ４８を底部４０の下側被固定部４６に螺合させる。
【００４１】
ここで、ハウジング３０は湯水混合部２０を保持しているため、湯水混合部２０よりも上流側の水圧が常にハウジング３０にかかっている。そのため、ハウジング３０は、底部４０とより強固に固定するとともに、固定時にかかるハウジング３０への負荷を少なくする必要がある。
本発明の一実施形態に係る湯水混合水栓Ａによれば、金属製の底部４０に、ハウジング３０を固定するための上側被固定部４４が設けられている。これにより、底部４０とハウジング３０を固定するときの力が、ハウジング３０よりも金属製の底部４０に多く加わるため、固定時におけるハウジング３０への負荷が軽減され、ハウジング３０に破損が生じてしまうことを抑制することができる。そのため、ハウジング３０の破損に起因する漏水をより確実に抑制することができる。
【００４２】
また、金属製の底部４０に、固定台座５０を固定するための下側被固定部４６が設けられている。これにより、底部４０と固定台座５０を固定するときの力が、固定台座５０よりも金属製の底部４０に多く加わるため、固定時における固定台座５０への負荷が軽減され、固定台座５０に破損が生じてしまうことを抑制することができる。そのため、固定台座５０の破損に起因する漏水をより確実に抑制することができる。
【００４３】
以上、本発明の実施形態について説明したが、本発明は上述した実施形態に限定されるものではない。
【００４４】
前述した各実施の形態が備える各要素は、技術的に可能な限りにおいて組み合わせることができ、これらを組み合わせたものも本発明の特徴を含む限り本発明の範囲に包含される。
【符号の説明】
【００４５】
２    水栓本体
４    吐水部
６    給水管
８    給湯菅
１０    接続管
２０    湯水混合部
２２    伝達部
２４    操作部
３０    ハウジング
３２    挿通孔
４０    底部
４２    鍔
４４    上側被固定部
４６    下側被固定部
４８    固定ネジ
５０    固定台座
５２    段部
５４    鍔
５６    挿通孔
６０    締結部材
７０    外観カバー
Ａ    湯水混合水栓
Ｃ    カウンター
【図１】
2018053454.tif 000003
【図２】
2018053454.tif 000004
【図３】
2018053454.tif 000005
【図４】
2018053454.tif 000006
【図５】
2018053454.tif 000007
【図６】
2018053454.tif 000008